(57)【要約】      （修正有）【課題】部品点数が少なく、且つ簡単に組み付けが可能で、安価に製造することができる簡易施錠装置を提供する。【解決手段】簡易施錠装置は、内部にロック室４を有し、ロック室に連通したキー挿入口５を設けたロックケース１と、ロック室内に移動可能に収容されたロックバネ２と、ロックケースに設けたロックピン挿入孔８と、開閉蓋に取り付けられ、ロックピン挿入孔８からロック室に挿入されてロックされるロックピン９と、を備える。ロックバネ２は、ロックピン挿入孔から挿入されたロックピンを係止可能な形状に形成される。キー挿入口からキー１０が差し込まれたとき、ロック室内でキーによってロックバネが移動し、解錠される。【選択図】図８
0003216755.tif 000002
【実用新案登録請求の範囲】
【請求項１】
内部にロック室を有し、該ロック室に連通したキー挿入口を設けたロックケースと、該ロック室内に移動可能に収容されたロックバネと、該ロックケースに設けたロックピン挿入孔と、開閉蓋に取り付けられ、該ロックピン挿入孔から該ロック室に挿入されてロックされるロックピンと、を備えた簡易施錠装置であって、
該ロックバネは、該ロックピン挿入孔から挿入された該ロックピンを係止可能な形状に形成され、該キー挿入口からキーが差し込まれたとき、該ロック室内で該キーによって該ロックバネが移動し、解錠されることを特徴とする簡易施錠装置。
【請求項２】
前記ロック室内にテーパ部が設けられ、前記ロックバネが該ロック室に挿入されたキーにより移動したとき、該ロックバネの一部が該テーパ部に当接して該ロックバネが拡開され、該ロックピンの係止が解除され、解錠されることを特徴とする請求項１記載の簡易施錠装置。
【請求項３】
前記ロックケースは、薄型の直方体形状に形成されるとともに、該ロックケース内のロック室は薄い板状空間として形成され、前記ロックピン挿入孔は該ロックケースの厚さ方向に設けられたことを特徴とする請求項１記載の簡易施錠装置。
【請求項４】
前記ロックケースは、前記開閉蓋を有する書類ケースのケース本体の前面に取り付けられ、前記ロックピンは、該書類ケースの該開閉蓋の内側に突出した状態で、プッシュナットにより取り付けられたことを特徴とする請求項１記載の簡易施錠装置。
【考案の詳細な説明】
【技術分野】
【０００１】
本考案は、書類ケースなどの開閉蓋を施錠する簡易施錠装置に関し、特に簡単な構成で、製造コストの低減を図ることができる簡易施錠装置に関する。
【背景技術】
【０００２】
従来、書類ケースの開閉蓋を施錠する簡易型の施錠装置として、薄型のロックケース内に、スライダを摺動可能に配設し、スライダの開口部内にロックバネを略Ｕ字状に曲げて配設し、開閉蓋に固定したロックピンを、スライダ内のロックバネ内に差し込み、開閉蓋を施錠する構造の簡易施錠装置が、下記特許文献１などで提案されている。
【先行技術文献】
【特許文献】
【０００３】
【特許文献１】実開平６−１６５６号公報
【考案の概要】
【考案が解決しようとする課題】
【０００４】
従来のこの簡易施錠装置は、直方体形状のロックケース内に、スライダを摺動可能に配設するとともに、ロックケース内に、スライダを施錠方向に付勢する戻しバネを取り付け、さらに、スライダの開口部内にロックバネを組み付けて構成される。簡易施錠装置は、書類ケースに取り付けられ、その開閉蓋にロックピンがロックケースに向けて固定される。
【０００５】
書類ケースの開閉蓋を施錠する場合、開閉蓋のロックピンを、ロックケースの開口部内に差し込み、ロックピンに設けた外周溝を、ロックバネの一部に係止させて施錠する。一方、開閉蓋を解錠する場合、ロックケースの端部に設けたキー挿入口から、キーを差し込み、キーによりスライダを解錠方向に摺動させ、スライダ内のロックバネを、解錠位置まで移動させる。これにより、ロックバネとロックピンの係合が解除され、開閉蓋が解錠される。
【０００６】
しかし、この従来の簡易施錠装置は、書類ケースの開閉蓋を、簡便に施錠し解錠することができるものの、施錠装置の構成部品として、ロックケース、スライダ、戻しバネ、及びロックバネが必要となり、製造時、これらの部品を成形するとともに、ロックケース内に、スライダ、戻しバネ、及びロックバネを、正確に組み付ける必要があり、組み付け作業が煩雑化し、製造コストが高いという課題があった。
【０００７】
本考案は、上述の課題を解決するものであり、部品点数が少なく、且つ簡単に組み付けが可能で、安価に製造することができる簡易施錠装置を提供することを目的とする。
【課題を解決するための手段】
【０００８】
本考案に係る簡易施錠装置は、内部にロック室を有し、該ロック室に連通したキー挿入口を設けたロックケースと、該ロック室内に移動可能に収容されたロックバネと、該ロックケースに設けたロックピン挿入孔と、開閉蓋に取り付けられ、該ロックピン挿入孔から該ロック室に挿入されてロックされるロックピンと、を備えた簡易施錠装置であって、該ロックバネは、該ロックピン挿入孔から挿入された該ロックピンを係止可能な形状に形成され、該キー挿入口からキーが差し込まれたとき、該ロック室内で該キーによって該ロックバネが移動し、解錠されることを特徴とする。なお、上記開閉蓋は開閉可能な扉等を含む概念である。
【０００９】
この考案の簡易施錠装置によれば、従来の施錠装置で使用されるスライダ及び戻しバネを省き、上記ロックケース内にロックバネを取り付けるのみの非常に簡単な構成で、製造することができ、部品点数を削減し、部品の組み付け工数を削減して、製造コストを大幅に下げることができる。また、ロック室を内部に設けたロックケースは、硬質合成樹脂等により簡単に一体成形することができ、効率良く安価に施錠装置を製造することができる。
【００１０】
ここで、上記ロックバネは、バネ線材を略Ω形状に曲げて形成され、上記ロックピンには外周溝が形成され、該バネ線材の一部を該ロックピンの該外周溝に係止させて施錠するように構成することができる。
【００１１】
またここで、上記ロック室内にテーパ部が設けられ、上記ロックバネが該ロック室に挿入されたキーにより移動したとき、該ロックバネの一部が該テーパ部に当接して該ロックバネが拡開され、該ロックピンの係止が解除され、解錠されるように構成することができる。これによれば、キーを引き抜くと、拡開されたロックバネの弾性力とテーパ部により、ロックバネを容易に、元の施錠可能位置まで戻すことができる。
【００１２】
またここで、ロックケースは、薄型の直方体形状に形成されるとともに、ロックケース内のロック室は薄い板状空間として形成され、上記ロックピン挿入孔を該ロックケースの厚さ方向に設ける構成とすることができる。
【００１３】
またここで、上記ロックケースは、上記開閉蓋を有する書類ケースの、ケース本体の前面に取り付けられ、上記ロックピンは、該書類ケースの開閉蓋の内側に突出した状態で、プッシュナットを用いて、取り付けることができる。
【考案の効果】
【００１４】
この考案の簡易施錠装置によれば、部品点数が少なくなり、且つ簡単に組み付けが可能で、安価に製造することができる。
【図面の簡単な説明】
【００１５】
【図１】本考案の一実施形態を示し、（ａ）は簡易施錠装置の背面図、（ｂ）はその左側面図である。
【図２】（ａ）はロックピンの正面図、（ｂ）その左側面図である。
【図３】図１（ｂ）のIII-III断面図である。
【図４】（ａ）は裏板を外した状態のロックケースの背面図、（ｂ）はその左側面図である。
【図５】裏板の正面図である。
【図６】ロックバネの正面図である。
【図７】使用状態を示す、ロックピンの軸方向に沿った断面図である。
【図８】図３に対応した施錠状態の断面図である。
【図９】キーを挿入し解錠した状態の断面図である。
【考案を実施するための形態】
【００１６】
以下、本考案の一実施形態を図面に基づいて説明する。図１に示すように、本簡易施錠装置は、本体となるロックケース１が薄型に形成され、例えば、図７に示す如く、書類ケース等のケース本体１５にロックケース１が固定され、対応するロックピン９が書類ケースの開閉蓋１６の対応位置に固定され、開閉蓋１６を施錠するために使用される。
【００１７】
簡易施錠装置は、内部にロック室４を有し、ロック室４に連通したキー挿入口５を設けたロックケース１と、ロック室４内に移動可能に収容されたロックバネ２と、ロックケース１に設けたロックピン挿入孔８と、開閉蓋１６に取り付けられ、ロックピン挿入孔８からロック室４に挿入されてロックされるロックピン９と、を備えて構成される。
【００１８】
ロックケース１は、図１、図４などに示すように、厚さの薄い直方体形状に形成され、内部にはロック室４が薄い板状空間として形成される。ロックケース１の端部に、キー挿入口５が開口形成される。ロックケース１の背面の取付面側は、図４に示す如く開口し、その開口には裏板３が嵌め込まれ、ロック室内にロックバネ２を取り付けた状態で、閉鎖されるようになっている。
【００１９】
ロックケース１の取付面の四隅には、取付孔１ａが穿設される。ロックケース１は、書類ケース等のケース本体１５に取り付ける場合、合成樹脂ピン、固定リベット等のカシメピン１３を取付孔１ａに差し込み、カシメピン１３の先端を、熱カシメ、熱溶着するなどして、ロックケース１をケース本体１５に固定可能である。
【００２０】
裏板３は、図５に示すように、板状に形成され、ロックケース１のロック室４の２箇所に突設したカシメ部１ｂを、裏板３の内側に設けた取付孔３ａに嵌入し、カシメ部１ｂを熱カシメして、裏板３はロックケース１に取り付けられる。なお、裏板３は、ロックケース１のロック室に設けた開口凹部に被せて、そのまま嵌め込み、固定孔や凸部を設けずに、接着剤などで固定することもできる。
【００２１】
ロックケース１の端部に開口する、スリット状のキー挿入口５は、裏板３の内側でロック室４に連通し、キー挿入口５から挿入されるキー１０の先端部がロックバネ２をロック室４側に押し込む構造となっている。
【００２２】
キー挿入口５の奥のロック室４内に、係合歯部６が、所定のキー１０の挿入を許容する形状を持って形成される。キー１０は、図８に示すように、板状に形成され、先端部に複数のキー溝１１が、所定位置（係合歯部６の歯部に対応した位置）に、挿入方向と平行に設けられる。ロック室４内に設けた係合歯部６は、板状のキー１０をキー挿入口５に差し込んだとき、キー１０の先端がロックバネ２をロック室４側に押し、所定の位置まで進入可能なように、キー溝１１が係合歯部６に係合する形状となっている。
【００２３】
つまり、板状のキー１０をキー挿入口５から差し込んだとき、キー１０のキー溝１１が、係合歯部６と係合しつつ、その奥まで進入を可能とするように、キー溝１１に対応する歯部が、係合歯部６としてキー挿入口５に形成される。これにより、所定のキー１０をキー挿入口５に挿入したとき、キー１０の先端がロックバネ２をロック室４の奥側（図３の右方向）に押すことが可能である。また、係合歯部６とキー１０のキー溝１１の位置を、セットで変えることにより、別組合せ（別番号）の簡易施錠装置として製造することができる。
【００２４】
さらに、ロックケース１には、図１、図３、図４に示す如く、ロックピン挿入孔８が、ケースの中央部右寄りに、厚さ方向に向けて穿設される。ロックピン挿入孔８の内径は、対応するロックピン９の外径より僅かに大きく形成され、図７に示す如く、ロックケース１から裏板３に達するまでロックピン挿入孔８は形成される。ロックピン挿入孔８はロックケース１内のみに穿設してもよい。図３等に示す如く、ロックケース１のロック室４内には、略Ω形状に曲折されたロックバネ２が配設される。ロックバネ２の両側に対向して挟み部２ａが設けられ、挟み部２ａはロックピン挿入孔８内に現れるように形成される。
【００２５】
つまり、ロックバネ２は、図６に示すように、１本のバネ線材を、略Ω状に曲折して形成される。Ω状のロックバネ２は、その先端側に開口部が設けられ、先端開口部近傍に挟み部２ａが設けられる。挟み部２ａは、ロックバネ２の中央より先端寄りの両側に、平行に対向して設けられ、挟み部２ａが、ロックピン挿入孔８内で、ロックピン９の外周溝９ａに嵌入して挟持し、ロックピン９がロックされるようになっている。
【００２６】
ロックケース１のロック室４内には、ロックピン挿入孔８の側縁部にテーパ部７が設けられる。ロックバネ２は、ロック室４内で、その挟み部２ａをロックピン挿入孔８内に位置させて装着され、且つロックバネ２の先端開口部を、テーパ部７の傾斜面に当接させるように、ロック室４内に装着される。
【００２７】
また、ロック室４内のロックピン挿入孔８の左側（テーパ部７と反対側）には、バネの保持部４ａが設けられる。ロック室４内のロックバネ２は、その曲折部を、保持部４ａの外周部に摺動可能には嵌め込まれ、図３の左右方向に、所定範囲で摺動可能に保持される構造となっている。
【００２８】
このように、ロック室４内にロックバネ２が装着された状態で、裏板３がロックケース１の背面側に被せて固定され、ロック室４は閉鎖される。
【００２９】
上記構成の簡易施錠装置は、図７に示す如く、例えば、書類ケースのケース本体１５にロックケース１が固定され、対応するロックピン９が書類ケースの開閉蓋１６に固定され、開閉蓋１６を施錠するために使用される。
【００３０】
ロックケース１は、合成樹脂ピン、固定リベット等のカシメピン１３を取付孔１ａに差し込み、ケース本体１５側に貫通させ、その先端をかしめるなどして、固定される。
【００３１】
ロックピン９は、図２に示す如く、ピンの末端部に大径のフランジ９ｂが設けられている。ロックピン９を開閉蓋１６に取り付ける場合、そのピン先端部を開閉蓋１６の表側から、開閉蓋１６に設けた取付孔に挿入する。次に、ピン先端部側からプッシュナット１２をロックピン９に圧入する。これにより、図７に示す如く、ロックピン９は、プッシュナット１２とフランジ９ｂ間で、開閉蓋１６を挟持する形態で、強固に取り付けられる。このようにして、ロックピン９は、そのピン先端部を開閉蓋１６の内側に突出した状態で取り付けられ、書類ケースのケース本体１５に固定したロックケース１のロックピン挿入孔８内に、差し込み可能な状態で取り付けられる。
【００３２】
書類ケースのケース本体１５を閉じる場合、その開閉蓋１６を閉じながら、ロックピン９をロックケース１のロックピン挿入孔８内に差し込む。このとき、図３に示すように、ロックピン挿入孔８内には、ロックバネ２の挟み部２ａが露出するので、差し込み時、ロックピン９の外周溝９ａが挟み部２ａに嵌合し、図７、図８に示す如く、ロックバネ２の挟み部２ａに、ロックピン９の外周溝９ａが挟持される状態となる。これにより、ロックピン９は、ロック室４内のロックピン挿入孔８内でロックされ、施錠状態となる。
【００３３】
一方、本簡易施錠装置を解錠する場合、板状のキー１０を、図９に示すように、ロックケース１のキー挿入口５に差し込み、キー１０を差し込み端まで、押し込む。このとき、図９のように、キー１０の先端部がロックバネ２を図９の右方向（解錠方向）に押し、ロックバネ２を解錠方向に移動させる。これにより、ロックバネ２の開口先端部両側が、テーパ部７の傾斜面に当接しながら移動し、ロックバネ２の開口先端部は、両側に拡開される。これにより、図９に示す如く、ロックバネ２の挟み部２ａがロックピン９の外周溝９ａから外れ、ロックピン９がロックピン挿入孔８から引き抜き可能な状態となり、解錠される。
【００３４】
また、解錠された後、キー１０をキー挿入口５から引き抜けば、図９から図８のように、ロックバネ２の開口先端部両側が、そのばね弾性によって、テーパ部７の傾斜面から、左方向への移動荷重を受ける。これにより、ロックバネ２は、自動的に左方向に移動して、図８の元の状態に戻り、保持部４ａによって所定位置に保持されることとなる。
【００３５】
なお、上記実施形態では、本簡易施錠装置を書類ケースに取り付け、書類ケースの開閉蓋１６を施錠する例を説明したが、書類ケース以外の鞄などの施錠装置として使用することもできる。
【００３６】
このように、本簡易施錠装置によれば、従来の施錠装置で使用されるスライダや戻りバネを省くことができ、ロックケース１内にロックバネ２を取り付けるのみの非常に簡単な構成で、製造することができる。これにより、部品点数を削減し、部品の組み付け工数を削減して、製造コストを大幅に下げることができる。また、ロック室４を内部に設けたロックケース１は、硬質合成樹脂等により簡単に一体成形することができ、効率良く安価に簡易施錠装置を製造することができる。
【符号の説明】
【００３７】
１      ロックケース
１ａ    取付孔
１ｂ    カシメ部
２      ロックバネ
２ａ    挟み部
３      裏板
４      ロック室
４ａ    保持部
５      キー挿入口
６      係合歯部
７      テーパ部
８      ロックピン挿入孔
９      ロックピン
９ａ    外周溝
９ｂ    フランジ
１０    キー
１１    キー溝
１２    プッシュナット
１３    カシメピン
１５    ケース本体
１６    開閉蓋
【図１】
0003216755.tif 000003
【図２】
0003216755.tif 000004
【図３】
0003216755.tif 000005
【図４】
0003216755.tif 000006
【図５】
0003216755.tif 000007
【図６】
0003216755.tif 000008
【図７】
0003216755.tif 000009
【図８】
0003216755.tif 000010
【図９】
0003216755.tif 000011